(57)【特許請求の範囲】
【請求項１】
ワイヤレス通信システムに関連付られた通信パラメータの表示を導出するためのモバイル端末であって、前記ワイヤレス通信システムは：
１以上の基地局を有し、これらの各々は、端末へデータを通信するためのワイヤレスアクセスインターフェースを提供するように構成された送信機を含み、
前記ワイヤレスアクセスインターフェースは、複数の通信リソースエレメントを提供し、
前記通信リソースエレメントは、複数の時分割無線フレームに纏められており、
各無線フレーム中の前記通信リソースエレメントの第１のサブセットは、少なくとも１つの同期信号を搬送し、基地局についての前記同期信号は第１の識別番号と関連付られており、および、
各無線フレーム中の前記通信リソースエレメントの第２のサブセットは、リファレンスシンボルを有するリファレンス信号を搬送し、前記第２のサブセットは、第１の配置および第２の配置を含む複数の離散配置に分割されており、前記第１の配置中の前記リファレンスシンボルは、前記第１の識別番号に従って変化する少なくとも１つのプロパティを有し、
前記モバイル端末は：
前記ワイヤレスアクセスインターフェースの前記通信リソースエレメントの少なくともいくらかを受信する受信機、および
前記受信した通信リソースエレメントの少なくともいくらかを処理するためのプロセッサを有し；ここで、動作中、前記プロセッサは、前記受信した通信リソースエレメントにおいて存在する前記リファレンスシンボルの少なくとも１つのプロパティの値を決定し；前記通信パラメータの値は、前記第２の配置における前記リファレンスシンボルの少なくとも１つのプロパティから推定され、
推定された前記通信パラメータは、前記基地局より提供される前記ワイヤレスアクセスインターフェースの静特性であり、
前記静特性は、狭帯域キャリアを提供するための前記基地局のケイパビリティであり、前記狭帯域キャリアは、前記無線フレームの前記通信リソースエレメントの第３のサブセットを占有し、前記ワイヤレスアクセスインターフェースによって供給された帯域幅よりも狭い帯域幅を有する、前記モバイル端末。
【請求項２】
前記リファレンスシンボルの少なくとも１つのプロパティは、それぞれの受信したリファレンスシンボルが属するリファレンス信号配置であり、および前記通信パラメータの前記値は、前記第２の配置におけるリファレンスシンボルの存在から推定される、請求項１に記載のモバイル端末。
【請求項３】
前記通信パラメータの前記値は、前記第２の配置および前記第１の配置の間の差異から推定される、請求項２に記載のモバイル端末。
【請求項４】
前記第２の配置は、複数の離散配置の予め定められた１つである、請求項２に記載のモバイル端末。
【請求項５】
前記第２の配置は、通信パラメータの値の表示における使用のために予約されている、請求項４に記載のモバイル端末。
【請求項６】
前記リファレンスシンボルの少なくとも１つのプロパティは、リファレンス信号シーケンスであり、前記プロセッサにより決定される少なくとも１つの前記リファレンスシンボルの値は、前記リファレンス信号シーケンスに対応する値を含み、および、前記通信パラメータの値の推定は、前記第２の配置における前記リファレンス信号シーケンスに依存する、請求項１に記載のモバイル端末。
【請求項７】
前記リファレンス信号シーケンスは、前記第１の識別番号とは異なる第２の識別番号に従って変化し、および
前記通信パラメータの前記値は、前記第２の配置において使用される前記第２の識別番号の値から推定される、請求項６に記載のモバイル端末。
【請求項８】
前記通信パラメータの前記値は、前記第２の識別番号および前記第１の配置において使用される前記第１の識別番号の間の差異から推定される、請求項７に記載のモバイル端末。
【請求項９】
前記第２の配置における前記リファレンス信号シーケンスは、前記第２の識別番号の関数として生成される、請求項７に記載のモバイル端末。
【請求項１０】
前記リファレンス信号の少なくとも１つのプロパティは、リファレンス信号のサブフレーム配置であり、および前記プロセッサにより決定される前記リファレンスシンボルのプロパティの少なくとも１つの値は、前記リファレンス信号のサブフレーム配置に対応する値であり、および
前記通信パラメータの前記値が推定される前記第２の配置における前記リファレンスシンボルの前記プロパティは、前記第１の配置が属する前記サブフレーム配置とは異なるサブフレーム配置におけるリファレンスシンボルの存在である、請求項１に記載のモバイル端末。
【請求項１１】
前記リファレンスシンボルの少なくとも１つのプロパティは：
リファレンス信号サブフレーム配置；
リファレンス信号配置；および
リファレンス信号シーケンス；
の少なくとも２つの組み合わせであり、前記通信パラメータは、前記第２の配置における前記リファレンスシンボルのプロパティの前記組み合わせから推定される、請求項１に記載のモバイル端末。
【請求項１２】
前記第１の識別番号に従って変化する前記第１の配置における前記リファレンスシンボルの少なくとも１つのプロパティは、前記リファレンス信号のシーケンスであり、前記第１の配置は、前記第１の識別番号の関数として生成される第１のリファレンス信号シーケンスにおけるリファレンス信号を有し、および
前記第２の配置は、前記第１のリファレンス信号シーケンスと異なる第２のリファレンス信号シーケンスにおけるリファレンス信号を有し、前記第２のリファレンス信号シーケンスは前記第２の識別番号を用いて生成され、前記第２の識別番号は、予約された識別番号に対応する、請求項７に記載のモバイル端末。
【請求項１３】
前記第１のリファレンス信号シーケンスは、前記第１の識別番号をシードとして用いてリファレンス信号アルゴリズムにおいて生成され、および前記第２のリファレンス信号シーケンスは、前記第２の識別番号をシードとして用いてリファレンス信号アルゴリズムにおいて生成される、請求項１２に記載のモバイル端末。
【請求項１４】
前記第２のサブセットにおける前記リファレンスシンボルは、チャネル状態情報リファレンス信号、ＣＳＩ−ＲＳを含む、請求項１に記載のモバイル端末。
【請求項１５】
前記第２のサブセットにおける前記リファレンスシンボルは、セル固有リファレンス信号、ＣＲＳを含む、請求項１に記載のモバイル端末。
【請求項１６】
前記リファレンス信号の少なくとも１つのプロパティは、それぞれの受信したリファレンスシンボルが属するセル固有リファレンス信号配置であり、前記第２の配置は、第２の識別番号に従い複数の離散配置から選択され、および前記第２の配置における前記リファレンスシンボルは、第２の識別番号を用いて生成され、前記通信パラメータの前記値は、前記第２の配置における前記セル固有リファレンス信号を生成するのに用いられる前記第２の識別番号が前記第１の識別番号とは異なることを判定することにより推定される、請求項１５に記載のモバイル端末。
【請求項１７】
前記第２の識別番号は、通信パラメータの値の表示における使用のために予約された、予め定められた識別番号である、請求項１６に記載のモバイル端末。
【請求項１８】
端末へデータを通信するためのワイヤレスアクセスインターフェースを提供するように構成されたワイヤレス通信システムにおいて通信パラメータの表示を導出する方法であって、
前記ワイヤレスアクセスインターフェースは、複数の通信リソースエレメントを提供し、
前記通信リソースエレメントは、複数の時分割無線フレームにおいて纏められており、
各無線フレーム中の前記通信リソースエレメントの第１のサブセットは、少なくとも１つの同期信号を搬送し、基地局についての前記同期信号は第１の識別番号と関連付られており、および
各無線フレーム中の前記通信リソースエレメントの第２のサブセットは、リファレンスシンボルを搬送し、前記第２のサブセットは、第１の配置および第２の配置を含む複数の離散配置に分割されており、前記第１の配置中の前記リファレンスシンボルは、前記第１の識別番号に従って変化する少なくとも１つのプロパティを有し、
前記方法は：
前記ワイヤレスアクセスインターフェースの前記通信リソースエレメントの少なくともいくらかを受信すること、
前記受信した通信リソースエレメントの少なくともいくらかを処理して、前記受信した通信リソースエレメントに存在する前記リファレンスシンボルの少なくとも１つのプロパティの値を決定すること、および
前記第２の配置における前記リファレンスシンボルの少なくとも１つのプロパティから前記通信パラメータの値を導出すること、を有し、
推定された前記通信パラメータは、前記基地局より提供される前記ワイヤレスアクセスインターフェースの静特性であり、
前記静特性は、狭帯域キャリアを提供するための前記基地局のケイパビリティであり、前記狭帯域キャリアは、前記無線フレームの前記通信リソースエレメントの第３のサブセットを占有し、前記ワイヤレスアクセスインターフェースによって供給された帯域幅よりも狭い帯域幅を有する、前記方法。
【発明の詳細な説明】
【技術分野】
【０００１】
本開示は、ワイヤレス通信システムにおける通信デバイスで通信パラメータの表示を導出するための方法、システムおよび機器に関する。
【背景技術】
【０００２】
ワイヤレス電気通信システムにおけるｅＮｏｄｅＢなどのネットワークエンティティは数が増加するネットワーク機能を提供することが要求されるため、ネットワークシグナリング処理における適切な時点においてこれらの機能の少なくともいくらかを表示することができることが各ネットワークエンティティにとってより重要となっている。異なるネットワーク機能ケイパビリティのネットワークエンティティは、多くのワイヤレス通信ネットワークにおいて互いと共に展開されるであろうことが期待される：結果として、特定のネットワークケイパビリティにアクセスすることを要求する電気通信機器（すなわち、ユーザー機器、ＵＥ）は、ＵＥがそのようなサービスを要求する任意の与えられたネットワークエンティティが実際にサービスを供給することおよびネットワークエンティティでそのケイパビリティが欠如しているかを推測することができず、ＵＥは、異なるネットワークエンティティからケイパビリティを要求することをやり直さなければならず、無駄な時間および処理電力の観点からのペナルティを被る。
【０００３】
ＭＴＣデバイス（例えば準自律的または自律的なワイヤレス通信端末）などのある種類の電気通信デバイスは、例えば比較的低い頻度での少量のデータの送信により特徴づけられる「低ケイパビリティ」通信用途をサポートする。ＭＴＣデバイスは、個々にこれらが少ない負荷を電気通信ネットワーク上に示すように構成されており、したがって、同一ネットワークにおける等価の「完全なケイパビリティ」端末よりも多い数において展開されることができる。
【０００４】
ＭＴＣ端末をサポートするために、１以上の「ホストキャリア」の帯域幅で動作する「仮想キャリア」を導入することが提案されてきた。提案された仮想キャリアコンセプトは、好ましくは従来のＯＦＤＭに基づく無線アクセス技術の送信リソース内で統合され、ＯＦＤＭと同様の方法で周波数スペクトルを細分割する。従来のＯＦＤＭ型ダウンリンクキャリア上で送信されるデータとは異なり、仮想キャリア上で送信されるデータは、ダウンリンクＯＦＤＭホストキャリアの全帯域幅を処理することを必要とすることなく受信されおよび復号されることができる。
【０００５】
仮想キャリア概念は、多数の同時係属特許出願（英国特許出願１１０１９７０．０［２］、英国特許出願１１０１９８１．７［３］、英国特許出願１１０１９６６．８［４］、英国特許出願１１０１９８３．３［５］、英国特許出願１１０１８５３．８［６］、英国特許出願１１０１９８２．５［７］、英国特許出願１１０１９８０．９［８］および英国特許出願１１０１９７２．６［９］を含む）において記載されており、その文脈は参照によりここに組み込まれる。
【０００６】
「仮想キャリア」運用は、セルにおける適切な「ＶＣ」機能によりサポートされる必要がある（すなわちサービングネットワークエンティティにより提供される）。したがって、ＵＥがセルにアクセスするための最初の手順は、セルがＶＣを実際にはサポートしていない場合、処理労力を浪費し得る。ＭＴＣデバイスは、典型的に低電力および長いバッテリ寿命で動作するように設計されており、したがってこの場合におけるこのような浪費された労力を最小化することが望ましい。
【０００７】
現在のシステムにおいて、初期の手順は、（例えば公衆携帯電話網（ＰＬＭＮ）アイデンティティなどのせいでなんらかの方法で禁じられない限り）ＵＥが確実にセルに接続することを望むという想定のもとに主に設計されているが、制限されたケイパビリティを有するＵＥにとってはこれは適正でないかもしれない。とりわけＭＴＣの状況において、多くのＭＴＣ  ＵＥがネットワークに接続しようと試みることを引き起こすイベントが発生する可能性がある。これはネットワークに過負荷をかけ得、そのためＵＥに対し、ｅＮＢにおける送信電力および処理電力を節約し、重大となる可能性のある干渉を減らすためにこれらが接続するように試みるべきですらないことを表示することが望ましいかもしれない。
【０００８】
従来のセル取得のための初期の手順は、現在、そのようなケイパビリティ（またはそのような機能を提供するための能力）を効率的に表示するための能力を有していない。
ワイヤレス電気通信システム内のネットワークエンティティの効率的な通信が、したがって望ましい。
【発明の概要】
【０００９】
本開示の第１の側面によれば、ワイヤレス通信システムに関連付られた通信パラメータの表示を導出するためのモバイル端末であって、前記ワイヤレス通信システムは：
１以上の基地局を有し、これらの各々は、端末へデータを通信するためのワイヤレスアクセスインターフェースを提供するように構成された送信機を含み、
前記ワイヤレスアクセスインターフェースは、複数の通信リソースエレメントを提供し、
前記通信リソースエレメントは複数の時分割無線フレームに纏められており、
各無線フレーム中の前記リソースエレメントの第１のサブセットは、少なくとも１つの同期信号を搬送し、基地局についての前記同期信号は第１の識別番号と関連付られており、および
各無線フレーム中の前記リソースエレメントの第２のサブセットは、リファレンスシンボルを有するリファレンス信号を搬送し、前記第２のサブセットは、第１の配置および第２の配置を含む複数の離散配置に分割されており、前記第１の配置中の前記リファレンスシンボルは、前記第１の識別番号に従って変化する少なくとも１つのプロパティを有し、
前記モバイル端末は：
前記ワイヤレスアクセスインターフェースの前記通信リソースエレメントの少なくともいくらかを受信する受信機、および
前記受信した通信リソースエレメントの少なくともいくらかを処理するためのプロセッサを有し；ここで、動作中、前記プロセッサは、前記受信した通信リソースエレメントにおいて存在する前記リファレンスシンボルの少なくとも１つのプロパティの値を決定し；前記通信パラメータの値は、前記第２の配置における前記リファレンスシンボルの少なくとも１つのプロパティから推定される、前記モバイル端末が提供される。
【００１０】
前記通信パラメータは、好ましくはネットワークケイパビリティ（またはケイパビリティの欠如）などの前記セルまたはネットワークの静特性に対応する。あるいは、またはさらに、前記通信パラメータは、好ましくはネットワーク共有および／またはセルトラフィック混雑水準に依存するリアルタイムネットワークケイパビリティなどの前記セルまたはネットワークの動特性に対応する。通信システムは、したがって、前記モバイル端末（ＵＥ）に最小の処理労力で、初期のアクセス手順の初期段階においてｅＮｏｄｅＢのケイパビリティに関する情報を提供する。特に、前記ネットワークケイパビリティは、関わるｅＮｏｄｅＢのホストキャリア内で仮想キャリアを実装する能力であり得る。
【００１１】
したがって、前記ＵＥは、ＶＣ動作をサポートしないまたはそれを好適な構成でサポートしないセルにおける初期の手順を破棄することができ、またはより一般的にはセルにおいて前記ＵＥは予め接続しようと試みないことを選ぶであろう。ある実施形態は、同期信号からの物理層セル識別（ＰＣＩ）の抽出後に破棄させる。他の実施形態は、他の実施形態は、一旦ＰＢＣＨおよびＭＩＢが復号されると、セル獲得を放棄させる。これは、ＭＴＣ型配置を想定されたものなどの電力およびバッテリが制限されたデバイスにおいて重要である、ＵＥでの顕著な処理の節約にあたる。特に、利点は、しかしいくらかしかし全てではないセルがＶＣを送信するネットワーク配置において生じる。
【００１２】
アクセスクラス規制などの従来の技術は、ＵＥがすでにセルのリソースにアクセスする処理中となるまで利用可能でなく、したがって処理労力の浪費を回避するのには遅すぎる。
本開示の様々なさらなる側面および実施形態が、添付の請求の範囲において提供される。
【００１３】
本開示の第１および他の側面に関連して上述された本開示の特徴および側面は、均等に適用可能であり、上述した具体的な組み合わせにおいてのみならず、必要に応じて本開示の異なる側面に従い本開示の実施形態と組み合わされ得る。
【図面の簡単な説明】
【００１４】
本開示の実施形態は、添付する図面を参照しながら例としてのみ説明され、類似部分は対応する参照番号が付されており、ここで：
【図１】図１は、従来のモバイル電気通信ネットワークの例を説明する概略図を提供する。
【図２】図２は、従来のＬＴＥ無線フレームを説明する概略図を提供する。
【図３】図３は、従来のＬＴＥダウンリンクの無線サブフレームの例を説明する概略図を提供する。
【図４Ａ】図４Ａは、仮想キャリアを有するＬＴＥダウンリンクの無線サブフレームの例を説明する概略図を提供する。
【図４Ｂ】図４Ｂは、ホストキャリアの多数の周波数に複数の仮想キャリアが挿入されたＬＴＥダウンリンクの無線サブフレームの例を説明する概略図を提供する。
【図５】図５は、従来のＬＴＥにおいてセル獲得前および獲得中にＵＥにより行われる最初のステップを説明する。
【図６】図６は、実施形態が対処するある状況を説明するモバイル電気通信ネットワークの概略図を提供する。
【図７】図７は、第１の実施形態に係るＣＳＩ−ＲＳ値を用いたＵＥによりセル獲得前および獲得中に行われるステップを説明する。
【図８】図８は、第２の実施形態に係るＣＳＩ−ＲＳ値を用いたＵＥによりセル獲得前および獲得中に行われるステップを説明する。
【図９】図９は、第３の実施形態に係るＣＳＩ−ＲＳ値を用いたＵＥによりセル獲得前および獲得中に行われるステップを説明する。
【図１０】図１０は、第１および第３の実施形態の特徴の組み合わせに係るＵＥによりセル獲得前および獲得中に行われるステップを説明する。
【図１１】図１１は、１、２および４つのアンテナポートが使用される場合におけるダウンリンクサブフレーム中のＣＲＳリソースエレメントの配置を示す。
【図１２】図１２は、第４の実施形態に係り、（１つのアンテナポートが使用される場合における）「通常の」および「予約された」ＣＲＳリソースエレメントの配置を比較し、予約された配置におけるＣＲＳは、同期シグナリングから推定されるＰＣＩ以外のＰＣＩを用いて生成される。
【発明を実施するための形態】
【００１５】
図１は、例えば３ＧＰＰに規定されたＵＭＴＳおよび／またはロングタームエボリューション（ＬＴＥ）アーキテクチャを用いる、従来のモバイル電気通信ネットワークのいくつかの基本的な機能を説明する概要図である。
【００１６】
ネットワークは、コアネットワーク１０２に接続された複数の基地局１０１を含む。各基地局は、カバレッジエリア１０３（すなわち、セル）を提供し、カバレッジエリア１０３内では端末デバイス（また、モバイル端末、ＭＴまたはユーザ機器としても言及される）１０４に、および、からデータが通信され得る。データは、無線ダウンリンクを介して基地局１０１からそれらの各々のカバレッジエリア１０３内の端末デバイス１０４に送信される。データは、無線アップリンクを介して端末デバイス１０４から基地局１０１に送信される。コアネットワーク１０２は、各々の基地局１０１間でデータをルーティングし、認証、モビリティ管理、料金請求等のような機能を提供する。
【００１７】
３ＧＰＰに規定されたロングタームエボリューション（ＬＴＥ）アーキテクチャに従い設置されるものなどのモバイル電気通信システムは、無線ダウンリンク（いわゆるＯＦＤＭＡ）および無線アップリンク（いわゆるＳＣ−ＦＤＭＡ）のための、直交周波数分割多重（ＯＦＤＭ）を基にしたインターフェースを用いる。
【００１８】
図２は、ＯＦＤＭを基にしたＬＴＥダウンリンクの無線フレーム２０１を説明する概要図を示す。ＬＴＥダウンリンクの無線フレームは、ＬＴＥ基地局（改良されたＮｏｄｅ  Ｂ、「ｅＮｏｄｅＢ」または「ｅＮＢ」として様々知られ、これらの用語は同義である）から送信され、１０ｍｓ持続する。ダウンリンクの無線フレームは、１０個のサブフレームを備え、各サブフレームは１ｍｓ持続する。プライマリ同期信号（ＰＳＳ）およびセカンダリ同期信号（ＳＳＳ）は、ＬＴＥフレームの第１および第６のサブフレームにおいて送信される。プライマリブロードキャストチャネル（ＰＢＣＨ）は、ＬＴＥフレームの第１のサブフレームにおいて送信される。ＰＳＳ、ＳＳＳ、およびＰＢＣＨは、より詳細に以下に議論される。
【００１９】
図３は、従来のダウンリンクのＬＴＥサブフレーム例の構造を説明するグリッドの概要図である。サブフレームは、１ｍｓの期間に渡り送信される所定の数の「シンボル」を有する。各シンボルは、ダウンリンクの無線キャリアの帯域幅の全域にわたって分散された、所定の数の直交サブキャリアを有する。ここで、水平軸は、時間を表し、垂直は周波数を表す。
【００２０】
図３において示されるサブフレーム例は、１４のシンボルおよび２０ＭＨｚの帯域幅、Ｒ３２０にわたって分散する１２００のサブフレームを有する。ＬＴＥにおける送信のためのユーザデータの最も小さい割当は、１スロット（０．５サブフレーム）にわたり送信される１２個のサブキャリアを有する「リソースブロック」である。図３におけるサブフレームグリッド中の各個のボックスは、１のシンボルで送信される１２のサブキャリアに対応し、したがって、図３中の単一の行は２個のリソースブロックに対応する。
【００２１】
制御データは、リソースブロックより小さいユニット中に割り当てられ得、ＬＴＥにおける送信のための最小の割当は、「リソースエレメント」である。用語「リソースエレメント」は、１のシンボルにおける１のサブキャリア上のデータを言う。リファレンス信号などの制御データは、リソースブロック内の特定のリソースエレメントに割り当てられ得る。
【００２２】
図３は、４つのＬＴＥ端末に対する準備段階のリソース割当て３４０、３４１、３４２、３４３を示す。例えば、第１のＬＴＥ端末（ＵＥ１）に対するリソース割当て３４２は、１２のサブキャリアの５のブロック（すなわち６０のサブキャリア）にまたがって広がっており、第２のＬＴＥ端末（ＵＥ２）に対するリソース割当て３４３は１２のサブキャリアの６のブロックにまたがって広がっている、等である。
【００２３】
制御チャネルデータは、サブフレームの第１のｎシンボルを有するサブフレームの制御領域３００（図３において点のシェーディングにより示される）において送信され、ｎは３ＭＨｚまたは３ＭＨｚより大きいチャネル帯域幅に対して１から３のシンボル間で変化し得、ｎは１．４ＭＨｚのチャネル帯域幅について２から４のシンボル間で変化し得る。明確な例を提供するために、次の記載は、ｎの最大値を３とするように３ＭＨｚまたは３ＭＨｚより大きいチャネル帯域幅のホストキャリアに関係する。制御領域３００において送信されるデータは、物理下り制御チャネル（ＰＤＣＣＨ）、物理制御フォーマット指示チャネル（ＰＣＦＩＣＨ）および物理ＨＡＲＱ指示チャネル（ＰＨＩＣＨ）上で送信されるデータを含む。
【００２４】
ＰＤＣＣＨは、サブフレームのどのシンボル上のどのサブキャリアが特定のＬＴＥ端末に割当てられているかを示す制御データを含む。そのため、図３で示されるサブフレームの制御領域３００において送信されるＰＤＣＣＨデータは、ＵＥ１は参照番号３４２により特定されるリソースの領域に割当てられ、ＵＥ２は参照番号３４３により特定されるリソースの領域に割当てられた、などを示し得る。
【００２５】
ＰＣＦＩＣＨは、制御領域のサイズ（すなわち、１．４ＭＨｚのチャネル帯域幅の場合、１から３の間のシンボルまたは２から４）を示す制御データを含む。
ＰＨＩＣＨは、前に送信されたアップリンクデータがネットワークによって首尾よく受信されたか否かを示すＨＡＲＱ（ハイブリッド自動再送要求）データを含む。
【００２６】
時間周波数リソースグリッドの中央帯３１０におけるシンボルは、プライマリ同期信号（ＰＳＳ）、セカンダリ同期信号（ＳＳＳ）およびプライマリブロードキャストチャネル（ＰＢＣＨ）を（第１および第６のサブフレームにおいて）含む情報の送信に使われる。この中央帯３１０は、概して７２のサブキャリアの広さ（１．０８ＭＨｚの送信帯域幅に相当）である。ＰＳＳおよびＳＳＳは、一旦検出されると、ＬＴＥ端末デバイスにフレーム、サブフレーム、スロットおよびシンボル同期を得ることを可能とし、ダウンリンク信号を送信する改良されたＮｏｄｅ  Ｂのセル識別（ＰＣＩ）を決定する同期信号である。ＰＢＣＨは、ＬＴＥ端末がセルに適切にアクセスするために使用するパラメータを含むマスタ情報ブロック（ＭＩＢ）を含むセルの情報を運ぶ。物理下り共有チャネル（ＰＤＳＣＨ）上で個別のＬＴＥ端末に送信されるデータは、サブフレームの他のリソースエレメントにおいて送信され得る。これらのチャネルのさらなる説明は、以下に提供される。
【００２７】
図３はまた、システム情報を含み、Ｒ３４４の帯域幅に広がるＰＤＳＣＨ  ３４４の領域を示す。従来のＬＴＥ無線フレーム内のサブフレームにわたって分布するリファレンス信号（ＲＳ）があるであろう：これらは、さらに以下で議論されるが、明確性の理由から図３において示されていない。
【００２８】
マシーンタイプコミュニケーション（ＭＴＣ）デバイス
上述したように、第３および第４世代ネットワークの予想される広範な配備は、利用可能な高いデータレートを利用するよりはむしろ代わりに、強固な無線インターフェースおよびカバレッジエリアの拡大する偏在性を利用するデバイスおよびアプリケーションのクラスの並列開発を導いた。このデバイスおよびアプリケーションの並列なクラスは、ＭＴＣデバイスおよびいわゆるマシンツーマシン（Ｍ２Ｍ）アプリケーションを含み、ここで準自律的または自律的なワイヤレス通信デバイスは、典型的に比較的低頻度の基準で少量のデータを通信する。
【００２９】
ＭＴＣ（およびＭ２Ｍ）デバイスの例は：例えば、消費者の家に設置され、消費者のガス、水道、電気などの消費者の公共サービスの消費に関するデータを中央ＭＴＣサーバデータに定期的に情報を返信する、いわゆるスマートメータ；輸送および物流追跡、道路通行料徴収および監視システムなどの「追跡(track  and  trace)」アプリケーション；ＭＴＣ対応センサ、照明、診断器具などを有する遠隔保守および制御システム；環境モニタリング；店頭支払いシステムおよび自動販売機；セキュリティシステムなどを含む。
【００３０】
ＭＣＴ型デバイスの特徴についてのさらなる情報およびＭＴＣデバイスが適用し得るアプリケーションのさらなる例は、例えば、ＥＴＳＩ  ＴＳ  １２２  ３６８  Ｖ１０．５３０（２０１１−０７）／３ＧＰＰ  ＴＳ  ２２．３６８  バージョン  １０.５．０  リリース１０［１］などの対応する標準において見出される。
【００３１】
ＭＴＣ型端末などの端末にとって第３または第４世代モバイル電気通信ネットワークにより提供される広いカバレッジエリアを使用することは都合がよくなり得るものの、現在、達成した配備に対する不利益および試みが存在する。スマートフォンなどの従来の第３または第４世代端末デバイスとは異なり、ＭＴＣ型端末は好ましくは比較的単純であり安価である：加えてＭＴＣデバイスは、しばしば直接の保守および交換のためには容易にアクセスをする余裕のない状況において配備される‐信頼性があり、効率的な動作が重大であり得る。さらにＭＴＣ型端末によって行われる機能のタイプ（例えばデータを収集し折り返し報告する）は、実行するのに特に複雑な処理を必要としない一方で、第３および第４世代モバイル電気通信ネットワークは、実行するのにより複雑で高価な無線送受信機を必要とする高度なデータ変調技術（１６ＱＡＭまたは６４ＱＡＭなど）を典型的に無線インターフェース上で採用する。
【００３２】
スマートフォンは、典型的なスマートフォン型の機能を実行するために強力なプロセッサを典型的に必要とするため、スマートフォン中にそのような複雑な送受信機を含めることが大抵正当化される。しかしながら、上で示したように、現在、ＬＴＥ型ネットワークを用いて通信するための比較的低廉でより複雑でないデバイスを使用するという要求がある。異なる動作機能を有するデバイスへのネットワークアクセシビリティ、例えば縮小された帯域幅動作、を提供するというこの原動力と並行して、そのようなデバイスをサポートする電気通信システムにおける利用可能な帯域幅の使用を最適化するという要求がある。
【００３３】
多くの状況において、全キャリア帯域幅にわたるＬＴＥダウンリンクフレームからデータを受信し処理（制御）することのできる従来の高性能ＬＴＥ受信機ユニットをこれらのような低ケイパビリティ端末に提供することは、少量のデータを通信する必要のみあるデバイスにとって過度に複雑であり得る。これは、したがって、ＬＴＥネットワークにおける低ケイパビリティＭＴＣ型デバイスの広範な配備の実用性を制限し得る。その代わりに、ＭＴＣデバイスなどの低ケイパビリティ端末に、端末へ送信されそうなデータの量により釣り合った、より単純な受信機ユニットを提供することが好ましい。
【００３４】
仮想キャリア概念
ＭＴＣデバイスなどの低ケイパビリティ端末に調整された「仮想キャリア」は、したがって、従来のＯＦＤＭ型ダウンリンクキャリア（すなわち「ホストキャリア」）の送信リソース内に提供される。従来のＯＦＤＭ型ダウンリンクキャリア上で送信されるデータとは異なり、仮想キャリア上で送信されるデータは、ホストＯＦＤＭキャリアの全帯域幅を処理することを必要とすることなく受信され、復号されることができる。したがって、仮想キャリア上で送信されるデータは、複雑さが低減された受信機ユニットを用いて受信され、復号されることができる。
【００３５】
用語「仮想キャリア」は、本質的に、ＯＦＤＭに基づく無線アクセス技術（ＷｉＭＡＸまたはＬＴＥなど）のためのホストキャリア内のＭＴＣ型デバイスのための狭帯域の割当に対応する。
仮想キャリア概念は、多数の同時係属特許出願（英国特許出願１１０１９７０．０［２］、英国特許出願１１０１９８１．７［３］、英国特許出願１１０１９６６．８［４］、英国特許出願１１０１９８３．３［５］、英国特許出願１１０１８５３．８［６］、英国特許出願１１０１９８２．５［７］、英国特許出願１１０１９８０．９［８］および英国特許出願１１０１９７２．６［９］を含む）において記載されており、その文脈は参照によりここに組み込まれる。しかしながら、参照しやすいように、付属文書１において仮想キャリアの概念のある側面の概説が提示されている。
【００３６】
上で説明したように、ＬＴＥなどのＯＦＤＭに基づくモバイル通信システムにおいて、ダウンリンクデータは、サブフレーム基準でサブフレーム上の異なるサブキャリア上で送信されるように動的に割り当てられる。したがって、サブフレーム毎において、ネットワークは、どのシンボル上のどのサブキャリアがどの端末へ関連するデータを含むかについて、信号で伝える（すなわちダウンリンク許可シグナリング）。
【００３７】
セル獲得のための初期手順
セルを初期に獲得するためのＵＥにより従われる手順は、英国特許出願１１１３８０１．３［１０］（また「キャンプオン」プロセスとして言及される）において詳細に議論されてきており、このためここでは詳細には取り扱われない。手順は、以下のように要約される：
【００３８】
ｉ）周波数獲得。
ｉｉ）プライマリ同期信号獲得（サブフレーム、スロットおよびシンボルのタイミング獲得、セカンダリ同期信号スクランブルコード獲得）。
ｉｉｉ）セカンダリ同期信号獲得（フレームタイミング獲得、セルグループＩＤシーケンス獲得）。
ｉｖ）ＰＳＳおよびＳＳＳから物理層セル識別（ＰＣＩ）が計算されることができる。
ｖ）ＰＣＩからセル固有リファレンス信号（ＣＲＳ）位置が決定されることができる。
【００３９】
ｖｉ）ＰＢＣＨおよびＭＩＢを復号する。
ｖｉｉ）ＰＣＦＩＣＨを復号し、ＰＤＣＣＨにいくつのシンボルが割り当てられているかを決定する。
ｖｉｉｉ）ＰＤＣＣＨからＳＩＢ  １についてのＤＣＩを復号する。
ｉｘ）ＳＩＢ  １を復号し、他のＳＩＢについてのスケジュール情報を得る。
ｘ）ＳＩＢ（ＳＩＢ  １以外）を復号する。
これらのステップは、図５において説明されている。
【００４０】
セル識別
ＬＴＥにおいて、各セルは、関連付けられた物理層セル識別（ＰＣＩ）を有する。それぞれが３つの識別を含む１６８グループに纏められた５０４のＰＣＩがある。これらは、‐ＦＤＤにおける各セル中のＬＴＥフレームの第１および第６のサブフレームにおいて送信される‐プライマリおよびセカンダリ同期シーケンス（ＰＳＳおよびＳＳＳ）の組み合わせを処理することにより抽出される：ＰＳＳはＰＣＩのグループ内の３つの識別の１つを推定するのに用いられ、ＳＳＳは１６８グループの１つを推定するのに用いられる（図５におけるステップｉｖ））。従来のＬＴＥネットワークは、ＰＣＩが、ＰＳＳ／ＳＳＳ送信において組み込まれた際に、周波数再利用率１を用いた配置においてＵＥに異なるセル識別を検出させる良好な非相関特性を有するため、セルＩＤ基準で計画されている。
【００４１】
リファレンス信号
３ＧＰＰ  ＴＳ  ３６．２１１（バージョン  １１．０．０）は、ｅＮｏｄｅＢ（ｅＮＢ）により送信され得る種々のダウンリンクリファレンス信号（ＲＳ）を特定する：以下の議論において特に興味深いのは、セル固有リファレンス信号（ＣＲＳ）およびチャネル状態情報リファレンス信号（ＣＳＩ−ＲＳ）である。各ＲＳは、アンテナポートのサブセットを利用する。アンテナポートは、アンテナのタイプに応じて異なる方法で物理的アンテナに位置づけられる：それにもかかわらず、アンテナポートは、ＵＥの視点からは、ダウンリンク送信を表す。
【００４２】
関連する３ＧＰＰ標準のリリース８（およびそれ以降）は、セル固有リファレンス信号（ＣＲＳ）を必要とする。ＣＲＳは、４つまでのアンテナポート（ポート０〜３）について定義され、サブフレーム毎およびリソースブロック毎においてセル中でブロードキャストされる。ＣＲＳを生成するのに用いられる擬似ランダムシーケンスは、少なくともセルのＰＣＩの関数である（３ＧＰＰ  ＴＳ  ３６．２１１においてセクション６．１０．１．１に記載される）。
【００４３】
さらに、現在のシステムにおいて、与えられたアンテナポート上のＣＲＳは、サブフレーム毎の同一のＯＦＤＭシンボルにおいて送信されるが、これらが送信されるリソースブロック中のサブキャリアは、基準位置からオフセットしている。図１１は、νｓｈｉｆｔ＝０についての４つまでのアンテナポート上のＣＲＳ位置を示す。オフセットは、以下の方程式に従い‐図１１のリファレンス信号の位置における垂直シフトに対応する：
νｓｈｉｆｔ＝ＮＩＤＣＥＬＬ  ｍｏｄ  ６
ここで、ＮＩＤＣＥＬＬは、ＰＣＩである（図は、３ＧＰＰ  ＴＳ  ３６．２１１に由来する）。言い換えると、サブキャリアの垂直シフトは、ＰＣＩの関数である（これは図１１においては示されていないが、３ＧＰＰ  ＴＳ  ３６．２１１においてセクション６．１０．１．２に記載されている）。
【００４４】
リリース１０および引き続く３ＧＰＰ標準は、ｅＮＢにより送信され得る他のＲＳ：チャネル状態情報リファレンス信号（ＣＳＩ−ＲＳ）を導入する。ＣＳＩ−ＲＳは、８つまでのアンテナポート（ポート１５〜２２）について定義され、別の面ではＰＤＳＣＨに割り当てられる（図３参照）サブフレーム内のリソースエレメントを占有し、したがって有意義なチャネル品質測定を提供するのに有用である。
【００４５】
ＳＣＩ−ＲＳの配置は、無線リソース制御シグナリング（ＲＲＣ）を介してＵＥにシグナリングされ、以下を含む、ＴＳ  ３６．３１１を参照：
・ＵＥがＣＳＩ−ＲＳが存在すると推定し得るリソースエレメントの配置（ＣＳＩ−ＲＳ配置）−標準は、３２のこのような配置を規定し、各サブフレームに１４のシンボルがある；
【００４６】
・ＵＥがＣＳＩ−ＲＳが実際に送信されると推定し得るサブフレームの配置（ＣＳＩ−ＲＳサブフレーム配置）−サブフレーム配置は、ＣＳＩ−ＲＳが送信される周期、および、ＳＣＩ−ＲＳが送信されるサブフレームが、システムフレーム番号（ＳＦＮ）＝０での無線フレームの先頭に対してオフセットするサブフレームの数を定義する；および
・使用中のＣＳＩ−ＲＳアンテナポートの数；１、２、４または８。
【００４７】
ＣＳＩ−ＲＳにおいて送信されるシーケンスは、仕様に定義される疑似ランダムシーケンス生成器によってもたらされる。この生成器の初期設定は、ＰＣＩに依存し、したがって送信されるシーケンスは、ＰＣＩの関数である。
【００４８】
リファレンス信号への摂動（perturbataions）
セル獲得を試みるＵＥにｅＮｏｄｅＢのケイパビリティに関する適時の情報を提供するために、セルによって送信されるＲＳの内容または位置へのある「摂動」が、ＶＣ動作の利用可能性または構成などのセルのケイパビリティまたは構成に関する情報を暗示するまたは表すのに用いられ得ることが認識されてきた。今後互換的に使用される用語「通信パラメータ」および「静特性」は、両方ともセルのケイパビリティおよび構成を包含する。
【００４９】
上述したように、使用されるＲＳの内容は典型的にセルのＰＣＩに基づいており、したがってある実施形態においてある識別可能なＲＳリソースにより搬送されるＰＣＩが変化し、またはＲＳが「予期されない」リソースにおいて送信され、これらの送信およびセルの実際のＰＣＩおよび／または「予期された」ＲＳ送信リソースの間の種々の関係はＶＣ配置情報を搬送する。
【００５０】
本実施形態は、ＵＥが適当なシグナリング、例えばＲＲＣシグナリングをセルから受信することができる前に動作するため、ｅＮｏｄｅＢは、セルにおいてこのような摂動の利用に関してＵＥを直接的に構成するすべがない：言い換えると、これらの実施形態の動作は、ＵＥに対しトランスペアレントである。結果として、リファレンス信号への摂動の適用は、また、標準仕様において摂動を関連付けることにより、通信パラメータの他のタイプを、例えばその関連付に従ってセル送信を解釈する特定のＵＥカテゴリおよび関連するカテゴリのＵＥのみへ示すために実行され得る。容易に理解されるように、ネットワークオペレータは、適切な方法により彼らのネットワークのこれらの側面を計画する必要があるであろう。
【００５１】
我々は、今、セルにおける仮想キャリア（ＶＣ）ケイパビリティの表示に関するある例示的な実施形態を記述する。ＵＥへの参照は、したがって、他に示されない限り、ＶＣ上での動作をサポートするＵＥへのものである。
【００５２】
ＣＳＩ−ＲＳアイデンティティ分割によるＶＣ構成の表示
図７に説明される第１の実施形態において、セルの与えられたケイパビリティは、予約されたＣＳＩ−ＲＳ配置上で送信されるリファレンス信号が生成される方法を置き換える（「摂動する」）ことにより、マークを付され得る。必要に応じてＴＳ  ３６．２１１の表６．１０．５．２−１または表６．１０．５．２−２におけるＣＳＩ−ＲＳ配置のうち少なくとも１つは、摂動の適用における使用のために予約されている。これの予約されたリソース配置において、リファレンス信号が、セルのＰＣＩ以外のＰＣＩに基づいたリファレンス信号生成シーケンスの開始と同時に、送信される：典型的に「不適合なＰＣＩ」は、これからＵＥが送信信号を受信しそうな、地理的に付近にある任意のセルに関連付けられていない予約されたＰＣＩであるか、または全体のネットワークにおいて予約されたＰＣＩである。これは、ＴＳ  ３６．２１１のセクション６．１０．５．１におけるシーケンス生成のための方程式において、量ｎＩＤが、セルのＰＣＩ、ＮＩＤｃｅｌｌと異なることを意味する。以下に再現されるＣｉｎｉｔについての結果として生じる式において、両方の出現においてｎＩＤは、予約されたＰＣＩ値、ＮＩＤｃｅｌｌと置き換えられる：
Ｃｉｎｉｔ＝２１０・（７・（ｎｓ＋１）＋ｌ＋１）・（２・ｎＩＤ＋１）＋２・ｎＩＤ＋ＮＣＰ。
【００５３】
ＵＥは、どの組み合わせが使用中であるかを決定するために、各予約されたＰＣＩ値とともに各潜在的に予約されるＣＳＩ−ＲＳ配置を検索する必要があるであろう。したがって、予約されたセットをできる限り小さく維持することが好ましいともいえる。
【００５４】
これに続くケイパビリティ検出プロセスの変形は、以下のステップを含み、ここに特定の順序なしに提示する：
１．予約されたＣＳＩ−ＲＳ配置における予約されたまたは不適合のＰＣＩの存在は、それ自身において、またはＰＳＳ／ＳＳＳにおいて通信されるセルの実際のＰＣＩへの参照による、ＶＣの静特性を暗示する。
【００５５】
２．予約されたＣＳＩ−ＲＳ配置における予約されたまたは不適合のＰＣＩの存在は、それが見出される配置と共同してＶＣの静特性を暗示する。
３．１よりも多い予約されたＣＳＩ−ＲＳ配置がある場合、これらは、送信するセルのものと異なりおよび互いに異なる、異なる（予約されたまたは不適合の）ＰＣＩを含み得、このような組み合わせは送信するセルの異なる静特性を表す。
以上のこの実施態様の変形は、組み合わせられ得る。
【００５６】
この実施形態において使用されるように、ＰＣＩ値は、静特性の状態または値に対し個別にマッピングされ得る。あるいは、ＰＣＩ値のグループ（また「区分」ともいう）は、このような状態または値と関連付けられる。
移動体通信事業者（ＭＮＯ）は、セルがセル付近の予約されたＣＳＩ−ＲＳ配置において使用中である同一のＰＣＩをこれらの実際の識別として送信しないようにセルＩＤを計画する必要があるであろう。
【００５７】
その状態または値が特定のリファレンス信号配置における特定のＰＣＩ（またはＰＣＩ区分）の存在により表示され得る静特性の例は以下を含む：
・セルがＶＣを送信しているまたは送信できるか否か。
・全てのＶＣ  ＵＥが最初に復号を試みるべき主要なＶＣの周波数領域における位置。
【００５８】
・区分は、ＣＳＩ−ＲＳ配置などのセルにおけるＶＣ動作に固有のリファレンス信号配置の静的エレメントを表示し得る。
・ＵＥは、インストール／製造時に、例えば一般的なネットワーク負荷が低減される夜に、ある区分に属するＰＣＩを送信するセル上の無線アクセスを優先するようにあらかじめ構成され得る。このようなＵＥは、ネットワークからリソースを要求するかを決定する際に、この情報を考慮し得る。これは一般に、そのデータが頻繁には時間で区切られていないＭＴＣデバイスに関する。
・セルが、ＵＥがセル上の適したトラフィック負荷のいくらか早期の表示を有し得るようにネットワーク共有を動作させているか。
【００５９】
一例において、予約されたＣＳＩ−ＲＳ配置において第１の区分から不適合なＰＣＩを送信するセルが、ＵＥによりＶＣ動作をサポートしないと推定され得る一方で、第２の区分からＰＣＩを送信するセルが、ＵＥによりＶＣ動作をサポートすると推定され得る。ＶＣ準拠セル内においてのみ動作可能なＵＥは、セルがＶＣをサポートせず他のセルを獲得しようと試みない場合において初期手順を放棄する必要があるであろう。ＶＣ準拠セル内においてのみならずＶＣ非準拠セル内において任意に動作可能なＵＥは、セルを放棄するか続けるかに関する実行の選択が残されるであろう。予約されたＣＳＩ−ＲＳ配置における第１の区分からの不適合なＰＣＩの送信の意義を意識しないＵＥは、単純に従来の初期手続きを続けるであろう。
【００６０】
ＣＳＩ−ＲＳ配置、ＰＣＩおよびＶＣの存在または不在などの静特性の間の関連は、仕様において定義され得、本実施形態に係るネットワークの配備は、セルＩＤが正確に割り当てられることを保証するためにＭＮＯによる計画を必要とするであろう。
【００６１】
図７は、第１の実施形態に係る動作可能な端末のためのＵＥ手順における差を説明する。「適切なＶＣ獲得手順」は、どのＶＣの実行がセルにおいて使用されているか、および／またはＵＥにより知られているかによって決まる。ＵＥが与えられたセル上での手続きを破棄することを決定すべきであれば、代わりのセル上で手順が再度開始することが予期されるであろう。このような代わりのセル上で、ＵＥは、ＵＥが例えば隣接したセル上での無線資源管理（ＲＲＭ）測定を行うことができるように、すでに通常のＰＣＩを決定する限りにおいて進み得る。
【００６２】
したがって、システムは、通信を行うセルのＰＣＩ値へ、異なるＰＣＩ値とともに予約されたＣＳＩ−ＲＳを送信する概念を導入し、ここでこの異なるＰＣＩ値は、セルのＰＣＩと連動してまたは単独でセルの通信信号および／またはケイパビリティの性質に関する情報を暗示する。
【００６３】
ＣＳＩ−ＲＳ配置によるＶＣ配置の表示‐分割のみ
図８において説明される第２の実施形態は、第１の実施形態との類似点を有している：セルの通常のＰＣＩを用いて生成されるリファレンスシンボルスクランブリングシーケンスが、予約されたＣＳＩ−ＲＳ配置において常に送信され、（不適合なＰＣＩは使用されず）および静特性が単にＵＥが検出する予約されたＣＳＩ−ＲＳ配置により表示される点で異なる。したがって、ＵＥは、予約された配置の１以上がセルにより送信されているかを確かめるために、予約された配置の特定のセットの中から検索することができ、したがって静特性を推測する。ＣＳＩ−ＲＳ配置は、ネットワークオペレータにより計画され得、したがってこの実施形態は、容易に実現され、適当なネットワーク設計によりセル間干渉が回避されることができる。
【００６４】
ＣＳＩ−ＲＳサブフレーム配置によるＶＣ配置の表示
図９および１０においてそのバージョンが説明される第３の実施形態は、少なくとも１つの予約されたＣＳＩ−ＲＳ配置が使用される点で、上の第１および第２の実施形態と同一の経路をたどる。しかしながら、この実施形態においては、静特性は前記（または各々の）予約されたＣＳＩ−ＲＳ配置に関連付けられたサブフレームＣＳＩ−ＲＳ配置により示されることができる。
【００６５】
図９において説明される第３の実施形態のバージョンでは、検出されるＣＳＩ−ＲＳ配置は、まず配置が予約されているか、そうであれば予約されたＣＳＩ−ＲＳ配置に関連付けられたサブフレームＣＳＩ−ＲＳ配置がＶＣケイパビリティを暗示するかを確認するために検査される。このバージョンでは、（限定なしに）ＰＣＩ分割がこのネットワークにおいて使用中でないとみなされる。
【００６６】
図１０における第３の実施形態の代替のバージョンでは、ＰＣＩ分割およびＣＳＩ−ＲＳ予約の両方が使用中である場合のＵＥ手順の例が与えられる。第１および第３の実施形態がしたがって組み合わされている。しかしながら、この例は２つの実施形態の組み合わせをこの特定の実施に限定しない：ＵＥ手順の「決定」ステップ（「ＹＥＳ」または「ＮＯ」の条件の結果を有するひし形で表されている）は、例えば、本実施形態の範囲から出発することなく異なる順序でアプローチされ得る。
【００６７】
（ＴＳ  ３６．２１１の表６．１０．５．３−１からの）ＣＳＩ−ＲＳのサブフレーム配置は、したがって、特定のサブフレームＣＳＩ−ＲＳ配置および、その実施形態が拡張されるのに応じて、セルにおいて使用中のものとは異なるＰＣＩ値とともに発生するＣＳＩ−ＲＳ配置がＶＣの静特性を表示するための追加の因子である。
【００６８】
従来の技術とは異なり、上述した本システムのある実施形態は、ＲＲＣ接続確立の前にセル送信信号の性質を表示する目的のために予約されたＣＳＩ−ＲＳ配置（および／またはサブフレームＣＳＩ−ＲＳ配置）を提供する。
【００６９】
ＣＲＳリソースシフトによるＶＣ配置情報
第４の実施形態では、摂動の一種がＣＲＳに適用される。上で議論したように、サブフレームにおけるＣＲＳを有するサブキャリアの垂直シフトは、ＰＣＩの関数である。ＵＥは、ＰＣＩの周波数オフセットＶｓｈｉｆｔ、ＰＣＩのモジュロ６部分に従って定義されたリソースにおいて与えられたＰＣＩに基づくＣＲＳが存在することを予期する。これは、図１２において説明され、ここで周波数オフセットＶｓｈｉｆｔ＝２が周波数オフセットＶｓｈｉｆｔ＝０（薄灰色）とともに（濃灰色で）説明されている。
【００７０】
加えて、ＣＲＳ自体は、ＴＳ  ３６．２１１セクション６．１０．１．１に提示されるシーケンス生成のための方程式を用いて生成され、方程式は、ＰＣＩ値、ＮＩＤｃｅｌｌの関数である値Ｃｉｎｉｔにより初期化される疑似ランダムシーケンスを用いる。（ＴＳ  ３６．２１１セクション６．１０．１．１における）Ｃｉｎｉｔについての式が以下に再現される：
Ｃｉｎｉｔ＝２１０・（７・（ｎｓ＋１）＋ｌ＋１）・（２・ＮＩＤｃｅｌｌ＋１）＋２・ＮＩＤｃｅｌｌ＋ＮＣＰ。
【００７１】
その方程式において用いられるＣＲＳのシーケンス生成についてのおよびＣｉｎｉｔについての方程式は、したがって、ＣＳＩ−ＲＳのシーケンス生成において用いられるのと同じ式である。セルのＰＣＩ以外のＰＣＩの使用は、標準の関連するセクションにおいて規定されたＣｉｎｉｔとは異なるＣｉｎｉｔを用いて初期化されるシーケンス生成についての方程式をもたらすであろう。上のＣｉｎｉｔについての式において、ＮＩＤｃｅｌｌは、両方の出現において、予約されたＰＣＩ値、ｎＩＤｒｅｓｅｒｖｅｄにより置き換えられる。
【００７２】
５０４のＰＣＩについて、８４は各νｓｈｉｆｔを共有し、各ＰＣＩは、ちょうど１つの定義されたνｓｈｉｆｔを有する。この実施形態では、セルにより送信される従来のＣＲＳに加え、予約されたＰＣＩ値から生成されるシーケンスを含むさらなるＣＲＳが、当該ＣＲＳがリソースに適合しない所定のリソースにおいて送信されるように、（予約されたＰＣＩ区分ｍｏｄｕｌｏ  ６に由来する）予期されるシフトと異なるνｓｈｉｆｔで送信され、ここでＣＲＳは、現在の仕様（「シフトした」または「予期されない」リソース）に従い予期されるであろう。したがって、図１２における濃灰色の陰影がつけられたリソースエレメントは、その内容を生成するための予約されたＰＣＩ値の使用および異なるＰＣＩ値を再度表示し得る周波数シフトリソース配置を組み合わせたリソースエレメントを現し得、一方で薄灰色の陰影がつけられたリソースエレメントは、「通常の」従来のＣＲＳを現し得る。この実施形態では、このような予期されないまたは不適合のリソースエレメントが、仮想キャリアに関するセルの動作についての情報、例えばＶＣ配置の存在を含む、以前に列挙したこれらの静特性など、を暗示するのに用いられる。
【００７３】
ＰＣＩ値およびリソース配置の与えられた組み合わせの意義を知るＵＥは、予約されたＰＣＩ値から生成されるシーケンスを用いてこのような「予期されない」ＣＲＳについての所定のリソースを検索し、ひとつを発見するとそれを適宜解釈し、関連する配置を得るか、または例えば組み合わせがＶＣサポートを示さない場合には初期手順を破棄する。
【００７４】
この実施形態は、これらの予約されたＰＣＩが上述したケイパビリティ表示技術の意義を知らないＵＥの期待によれば「間違い」と特徴づけられ得るであろうリソース中においてのみ存在するであろうから、以前の実施形態よりも少ないセルＩＤ企画を必要とする。このような場合におけるＵＥの応答は、特異的な実行であろう。ＰＣＩの組み合わせに対するこのような不適合なＣＲＳリソースは、技術を知らないＵＥにより決して実際には検出されないことができる。なぜなら、ＵＥは、それが送信されるリソースにおけるこのようなものについて復号を試みないかもしれないし、ともあれ適正なリソースにおけるＰＣＩを有するＣＲＳについてのみ検索しそうであるからである。
【００７５】
この実施形態の変形では、仕様は、予約されたＰＣＩに従うＣＲＳが送信されることのできる多くの（現仕様において５つまでの）可能性のある「シフトした」リソースを定義することができ、ＵＥが検出する結合した組み合わせは、ＶＣの配置を暗示する。これはＵＥについてのより高いブラインドサーチ負荷を有するが、システムにおいてより大きな柔軟性を創造するであろう。
【００７６】
本開示の目的のために、ＬＴＥ標準がＣＲＳについての「サブフレーム配置」を定義しないことが、留意される。しかしながら、ＣＲＳは、ＣＲＳが「サブフレーム毎」に存在する点で、「サブフレーム配置」の形式を暗示しない。
【００７７】
さらにこの実施形態にかかる送信される追加のＣＲＳは、サブフレーム毎に、またはリソースブロック毎に送信される必要がない。この場合において、これらが送信されるサブフレームおよびリソースブロックは、（仕様中にまたは製造、初期設定において提供され得る）予め定義された情報に含まれる必要があるであろう。この「ＣＲＳサブフレーム配置」は、第１〜第３の実施形態の内容において記載されたＣＳＩ−ＲＳと同様の様式に従うかもしれない。
【００７８】
セルの送信構成に関する内容を暗示するために不適合なＰＣＩ〜ＣＲＳリソースマッピングを使用することは、ＣＲＳの内容を使用する異例の方法である。
【００７９】
図６は、３つのｅＮｏｄｅＢ６２０、６３０、６４０のそれぞれのセル６０２、６０４、６０６内の典型的なＶＣ−ＵＥ６１０を示す。ｅＮｏｄｅＢ６２０は、従来のＬＴＥを提供するが、ＶＣ機能を提供しないことができる。ｅＮｏｄｅＢ６４０は、従来のＬＴＥおよびＶＣ機能を提供するが、現在、高いトラフィック状況を受けており、過負荷を回避することを望む。ｅＮｏｄｅＢ６３０は、従来のＬＴＥおよびＶＣ機能を提供する
【００８０】
ｅＮｏｄｅＢ６２０の場合において、実施形態のいずれか１つが、ＶＣ機能の欠如がセル獲得の間に利用可能なリファレンスシンボル信号から暗示されることができることを保証するであろう。同様に、ｅＮｏｄｅＢ６４０は、異なる状況下で従来のＬＴＥおよびＶＣ機能を提供し得る一方で、セル獲得を開始する前にｅＮｏｄｅＢ６４０からリファレンスシンボルをバッファリングしている任意のＵＥがＶＣ機能が現在このｅＮｏｄｅＢから利用可能でないことを推測することができるように、利用可能なリファレンスシンボル信号は動的に摂動され得る。
【００８１】
これらの「摂動」技術を実装することにより、必要とするＶＣ機能にアクセスすることを試みて失敗するＶＣ−ＵＥにより費やされる時間および処理労力が、従来配置されたワイヤレス通信システムと比較して低減される。
【００８２】
これまで記載した実施形態は、仮想キャリアケイパビリティ（静的または動的であろうと）の表示に関する。ＶＣケイパビリティは、しかしながら、記載された「摂動」技術が適用され得る唯一の通信パラメータではない。実際には、上述のケイパビリティ表示技術は、例えばセルがネットワーク共有を運用しているかなど、このような表示がセル獲得前の段階にて有利である任意の通信パラメータの表示に等しく適用され得る。
【００８３】
種々の修正が、添付の請求の範囲において定義されるように、本開示の範囲から出発することなく上記の実施形態に対し行われ得ることが理解されるであろう。特に、実施形態は、ＬＴＥモバイル無線ネットワークに関して記載されたけれども、本開示がＧＳＭ、３Ｇ／ＵＭＴＳ、ＣＤＭＡ２０００、ＷｉＭＡＸなどの他のワイヤレス通信システムに適用し得ることが理解されるであろう。
【００８４】
実施形態において予約され得るＰＣＩの例は：
・偶数のＰＣＩ（０、２、４、．．．）
・奇数のＰＣＩ（１、３、５、．．．）
・定義された範囲にわたる連続したＰＣＩ値
・特段関係ないくらかの固有値
を含む。
【００８５】
３ＧＰＰ  ＬＴＥ標準のリリース１０では、ＵＥは最大で１つのＣＳＩ−ＲＳ配置を有することができる：リリース１１は、この要件を緩和し、任意の数の配置を許容する。通常目的のＣＳＩ−ＲＳ配置は、通常の方法、すなわちＲＲＣシグナリングにより送られることができるため、上記の技術は、この事実を妨げないことが留意される。
【００８６】
ＵＥは、どの実施形態であってもどれが動作中であるかを見つけるために、ＣＳＩ−ＲＳ配置の中から予約された可能性についての初期の獲得プロセスの間に、個別に検索する必要があるであろう。ＲＲＣ構成ＣＳＩ−ＲＳ配置は、独立して後に送信され得、最初の３つの実施形態において使用される予約されたＣＳＩ−ＲＳ配置と同一または異なり得る。
【００８７】
さらに、ＣＲＳおよびＣＳＩ−ＲＳに関する上記の実施形態は、添付の請求の範囲において定義されるように、本開示の範囲から出発することなく独立してまたは組み合わせて使用されることができる。必ずしも同一の型でないＲＳの２つのセットが、共存することができる。具体的には、本開示は、また、「通常の」従来のＣＳＩ−ＲＳが全く構成されていないかもしれない第２の実施形態を第４と組み合わせる状況を包含する：ネットワークは、予約されたＣＳＩ−ＲＳ配置のみを、および第４の実施形態において記載されるＣＲＳと並行して予約されたＣＳＩ−ＲＳ配置を、送信し得る。
【００８８】
上のそれぞれの実施形態において議論されたＰＣＩの予約、ＣＳＩ−ＲＳ配置および不適合なＣＲＳリソースは、ＵＥがセルへのＲＲＣ接続を得る前にこのような表示を検索するように構成され得るように、および初期セル手順をできる限り早期に妨害する、および適切であれば、破棄するために、事前に特定されていてもよい。あるいは、本開示は、ネットワークオペレータおよび端末製造業者の間の合意により準拠したＵＥに実装され得る。
【００８９】
ここで使用される用語ＭＴＣ端末は、ユーザ機器（ＵＥ）、モバイル通信デバイス、端末デバイスなどと置き換えることができる。さらに、用語基地局は、ＵＥにセル方式電気通信ネットワークへの無線インターフェースを提供する任意のワイヤレスネットワークエンティティをいい：本用語は前述においてｅ−ＮｏｄｅＢと置き換え可能に用いられてきた一方で、それはＬＴＥおよびｅＮｏｄｅ−Ｂｓ；Ｎｏｄｅ−Ｂｓ、ピコ−、フェムト−およびマイクロ−基地局の設備、中継装置；リピーターを含む代わりの無線アクセスアーキテクチャにおける等価のネットワークエンティティを包含する。
【００９０】
読者は、様々な例示的な実施形態が、一般的に相互に排他的ではなく、各々の特徴は適切な場合に置き換えられおよび組み合わせられ得ることを理解するであろう。
【００９１】
付属文書１：仮想キャリア
仮想キャリア概念は、多数の同時係属特許出願（英国特許出願１１０１９７０．０［２］、英国特許出願１１０１９８１．７［３］、英国特許出願１１０１９６６．８［４］、英国特許出願１１０１９８３．３［５］、英国特許出願１１０１８５３．８［６］、英国特許出願１１０１９８２．５［７］、英国特許出願１１０１９８０．９［８］および英国特許出願１１０１９７２．６［９］を含む）において記載されている。仮想キャリアの概念のある側面が以下に提示される。このセクションにおいて、以下の略語が頻繁に採用される：仮想キャリア−ＶＣ、ホストキャリア‐ＨＣ、ユーザ機器−ＵＥ、リソースブロック−ＲＢ、無線周波数−ＲＦ、およびベースバンド−ＢＢ。
【００９２】
従来のＯＦＤＭのように、仮想キャリア概念は、中央周波数から所定のオフセットで配置された複数のサブキャリアを有する：したがって、中央周波数は、仮想キャリア全体を特徴づける。
典型的な仮想キャリア帯域幅は、ＬＴＥにおける最小の３ＧＰＰ帯域幅と一致する６つのリソースブロック（すなわち７２のサブキャリア）である。しかしながら、以下の記載にみられるように、ＶＣの帯域幅は、決して６ＲＢに制限されない。
【００９３】
ＬＴＥについての３ＧＰＰ標準のリリース８（ＲＥＬ８  ＬＴＥ）と合致して、ＶＣリソースは、典型的にホストキャリア中央周波数の中央のリソースブロックに配置され、システムの帯域幅に関わりなく（そのＨＣ中央周波数の両側において）対称に割り当てられている。
【００９４】
図４は、ホストキャリア中央周波数上の中央のリソースブロックを占める仮想キャリア４０１を有するダウンリンクＬＴＥサブフレームの構造を説明するグリッドの概略図である。仮想キャリア中央周波数４０３は、ホストキャリアの中央周波数４０１となるように選択される。
【００９５】
図３において説明される従来のＬＴＥダウンリンクサブフレームを順守して、最初のｎシンボルは、ＰＤＣＣＨ、ＰＣＦＩＣＨまたはＰＨＩＣＨ上で送信されるデータなどのダウンリンク制御データの送信のために予約された制御領域３００を形成する。
【００９６】
仮想キャリア４０１の信号は、ホストキャリア上で動作する端末デバイスが適正に動作するために必要とし、既知の所定の位置（例えば、図３の中央帯３１０におけるＰＳＳ、ＳＳＳおよびＰＢＣＨ）において見出すことを期待するホストキャリアによって送信される信号が維持されるように、準備される。仮想キャリアは、このようなホストキャリアリソース内にあり、しかしホストキャリアリソースから論理的に区別可能なリソースを使用するように構成されている。
【００９７】
図４からわかるように、仮想キャリア４０１上で送信されるデータは、制限された帯域幅にわたって送信される。これは、ホストキャリアのそれよりも小さい任意の適切な帯域幅であり得る。図４に示される例において、仮想キャリアは、２．１６ＭＨｚ送信帯域幅と同等である１２のサブキャリアの１２のブロック（すなわち１４４サブキャリア）を含む帯域幅にわたって送信される。したがって、仮想キャリア４０１を用いる端末は、２．１６ＭＨｚの帯域幅にわたって送信されるデータを受信し、処理することのできる受信機を備えることのみ必要である。これは、低ケイパビリティ端末（例えばＭＴＣ型端末）に、それでも、上で説明したように、信号の帯域幅全体にわたったＯＦＤＭ信号を受信し、処理することのできる受信機を備える端末を従来必要とするＯＦＤＭ型通信ネットワーク内で動作可能であるけれども、単純化された受信機ユニットが提供されることを可能とする。
【００９８】
従来のＬＴＥ端末がセル中でデータを送信し、受信することを開始することができる前に、それはまずセル内へキャンプオンする。同様に、適合するキャンプオンプロセスが、仮想キャリアを用いた端末について提供される。仮想キャリアのための適切なキャンプオンプロセスは、英国特許出願１１１３８０１．３［１０］において詳細に記載されている：このキャンプオンプロセスは参照によりここに組み込まれる。
【００９９】
英国特許出願１１１３８０１．３［１０］に記載されるように、「従来のＬＴＥ」および仮想キャリアの実行の両方は、好都合なことに、ホストキャリア中央帯におけるマスタ情報ブロック（ＭＩＢ）をすでに持つＰＢＣＨ内に仮想キャリアのための位置情報を含み得る。あるいは、仮想キャリア位置情報は、ＰＢＣＨの外部であるけれども中央帯に提供され得る。例えば、それは、常にＰＢＣＨの後にかつ隣接して提供され得る。ＰＢＣＨの外部であるが中央帯における位置情報を提供することにより、従来のＰＢＣＨは仮想キャリアを用いる目的について変更されないが、この場合でも仮想キャリア端末は、仮想キャリアを検出するために位置情報を容易に発見することができる。
【０１００】
仮想キャリア位置情報は、提供される場合、ホストキャリアにおける他のどこかで提供される一方で、例えば、仮想キャリア端末はその受信機が中央帯において動作するように構成し得、仮想キャリア端末は次いで位置情報を発見するためのその受信機設定を調整する必要がないため、中央帯においてそれを提供することは有利である。
【０１０１】
提供された仮想キャリア位置情報の量に応じて、仮想キャリア端末は、その受信機が仮想キャリア送信信号を受信するか、それがそのようにし得る前にさらなる位置情報を要求し得るように調整することができる。
【０１０２】
例えば、仮想キャリア端末に正確な仮想キャリア周波数範囲に関しなんら詳細を示さない仮想キャリアの存在および／または仮想キャリア帯域幅が提供された場合、または仮想キャリア端末に任意の位置情報が提供されなかった場合、仮想キャリア端末はその後仮想キャリアについてホストキャリアをスキャンし得る（例えば、いわゆるブラインドサーチプロセスを行う）。このプロセスもまた、英国特許出願１１１３８０１．３［１０］において詳細に議論されている。
【０１０３】
読者は、仮想チャンネルの複数の過程が同一のセル内における異なる周波数帯において実行され得ることを容易に理解するであろう。図５は、３つの異なる仮想チャネルを示すダウンリンクＬＴＥサブフレームの概略図を示す。
【０１０４】
以下の番号付された項目は、本技術の側面および特徴例をさらに提供する：
【０１０５】
１．  ワイヤレス通信システムに関連付られた通信パラメータの表示を導出するためのモバイル端末であって、前記ワイヤレス通信システムは：
１以上の基地局を有し、これらの各々は、端末へデータを通信するためのワイヤレスアクセスインターフェースを提供するように構成された送信機を含み、
前記ワイヤレスアクセスインターフェースは、複数の通信リソースエレメントを提供し、
前記通信リソースエレメントは、複数の時分割無線フレームに纏められており、
各無線フレーム中の前記リソースエレメントの第１のサブセットは、少なくとも１つの同期信号を搬送し、基地局についての前記同期信号は第１の識別番号と関連付られており、および、
各無線フレーム中の前記リソースエレメントの第２のサブセットは、リファレンスシンボルを有するリファレンス信号を搬送し、前記第２のサブセットは、第１の配置および第２の配置を含む複数の離散配置に分割されており、前記第１の配置中の前記リファレンスシンボルは、前記第１の識別番号に従って変化する少なくとも１つのプロパティを有し、
前記モバイル端末は：
前記ワイヤレスアクセスインターフェースの前記通信リソースエレメントの少なくともいくらかを受信する受信機、および
前記受信した通信リソースエレメントの少なくともいくらかを処理するためのプロセッサを有し；ここで、動作中、前記プロセッサは、前記受信した通信リソースエレメントにおいて存在する前記リファレンスシンボルの少なくとも１つのプロパティの値を決定し；前記通信パラメータの値は、前記第２の配置における前記リファレンスシンボルの少なくとも１つのプロパティから推定される、前記モバイル端末。
【０１０６】
２．  推定された前記通信パラメータは、前記基地局より提供される前記ワイヤレスアクセスインターフェースの静特性である、項目１に記載のモバイル端末。
【０１０７】
３．  前記静特性は、狭帯域キャリアを提供するための前記基地局のケイパビリティであり、前記狭帯域キャリアは、前記無線フレームの前記リソースエレメントの第３のサブセットを占有し、前記ワイヤレスアクセスインターフェースによって供給された帯域幅よりも狭い帯域幅を有する、項目２に記載のモバイル端末。
【０１０８】
４．  前記リファレンスシンボルの少なくとも１つのプロパティは、それぞれの受信したリファレンスシンボルが属するリファレンス信号配置であり、および前記通信パラメータの前記値は、前記第２の配置におけるリファレンスシンボルの存在から推定される、項目１〜３に記載のモバイル端末。
【０１０９】
５．  前記通信パラメータの前記値は、前記第２の配置および前記第１の配置の間の差異から推定される、項目４に記載のモバイル端末。
【０１１０】
６．  前記第２の配置は、複数の離散配置の予め定められた１つである、項目４または５に記載のモバイル端末。
【０１１１】
７．  前記第２の配置は、通信パラメータの値の表示における使用のために予約されている、項目６に記載のモバイル端末。
【０１１２】
８．  前記リファレンスシンボルの少なくとも１つのプロパティは、リファレンス信号シーケンスであり、前記プロセッサにより決定される少なくとも１つの前記リファレンスシンボルの値は、前記リファレンス信号シーケンスに対応する値を含み、および、前記通信パラメータの値の推定は、前記第２の配置における前記リファレンス信号シーケンスに依存する、項目１〜７に記載のモバイル端末。
【０１１３】
９．  前記リファレンス信号シーケンスは、前記第１の識別番号とは異なる第２の識別番号に従って変化し、および
前記通信パラメータの前記値は、前記第２の配置において使用される前記第２の識別番号の値から推定される、項目８に記載のモバイル端末。
【０１１４】
１０．  前記通信パラメータの前記値は、前記第２の識別番号および前記第１の配置において使用される前記第１の識別番号の間の差異から推定される、項目９に記載のモバイル端末。
【０１１５】
１１．  前記第２の配置における前記リファレンス信号シーケンスは、前記第２の識別番号の関数として生成される、項目９または１０に記載のモバイル端末。
【０１１６】
１２．  前記リファレンス信号の少なくとも１つのプロパティは、リファレンス信号サブフレーム配置であり、および前記プロセッサにより決定される前記リファレンスシンボルプロパティの少なくとも１つの値は、前記リファレンス信号サブフレーム配置に対応する値であり、および
前記通信パラメータの前記値が推定される前記第２の配置における前記リファレンスシンボルの前記プロパティは、前記第１の配置が属する前記サブフレーム配置とは異なるサブフレーム配置におけるリファレンスシンボルの存在である、項目１〜１１に記載のモバイル端末。
【０１１７】
１３．  前記リファレンスシンボルの少なくとも１つのプロパティは：
リファレンス信号サブフレーム配置；
リファレンス信号配置；および
リファレンス信号シーケンス；
の少なくとも２つの組み合わせであり、前記通信パラメータは、前記第２の配置における前記リファレンスシンボルのプロパティの前記組み合わせから推定される、項目１〜１２に記載のモバイル端末。
【０１１８】
１４．  前記第１の識別番号に従って変化する前記第１の配置における前記リファレンスシンボルの少なくとも１つのプロパティは、前記リファレンス信号シーケンスであり、前記第１の配置は、前記第１の識別番号の関数として生成される第１のリファレンス信号シーケンスにおけるリファレンス信号を有し、および
前記第２の配置は、前記第１のリファレンス信号シーケンスと異なる第２のリファレンス信号シーケンスにおけるリファレンス信号を有し、前記第２のリファレンス信号シーケンスは前記第２の識別番号を用いて生成され、前記第２の識別番号は、予約された識別番号に対応する、任意の前述の項目に記載のモバイル端末。
【０１１９】
１５．  前記第１のリファレンス信号シーケンスは、前記第１の識別番号をシードとして用いてリファレンス信号アルゴリズムにおいて生成され、および前記第２のリファレンス信号シーケンスは、前記第２の識別番号をシードとして用いてリファレンス信号アルゴリズムにおいて生成される、項目１４に記載のモバイル端末。
【０１２０】
１６．  前記第２のサブセットにおける前記リファレンスシンボルは、チャネル状態情報リファレンス信号、ＣＳＩ−ＲＳを含む、任意の前述の項目に記載のモバイル端末。
【０１２１】
１７．  前記第２のサブセットにおける前記リファレンスシンボルは、セル固有リファレンス信号、ＣＲＳを含む、任意の前述の項目に記載のモバイル端末。
【０１２２】
１８．  前記リファレンス信号の少なくとも１つのプロパティは、それぞれの受信したリファレンスシンボルが属するセル固有リファレンス信号配置であり、前記第２の配置は、第２の識別番号に従い複数の離散配置から選択され、および前記第２の配置における前記リファレンスシンボルは、第２の識別番号を用いて生成され、前記通信パラメータの前記値は、前記第２の配置における前記セル固有リファレンス信号を生成するのに用いられる前記識別番号が前記第１の識別番号とは異なることを判定することにより推定される、項目１７に記載のモバイル端末。
【０１２３】
１９．  前記第２の識別番号は、通信パラメータの値の表示における使用のために予約された、予め定められた識別番号である、項目１８に記載のモバイル端末。
【０１２４】
２０．  端末へデータを通信するためのワイヤレスアクセスインターフェースを提供するように構成されたワイヤレス通信システムにおいて通信パラメータの表示を導出する方法であって、
前記ワイヤレスアクセスインターフェースは、複数の通信リソースエレメントを提供し、
前記通信リソースエレメントは、複数の時分割無線フレームにおいて纏められており、
各無線フレーム中の前記リソースエレメントの第１のサブセットは、少なくとも１つの同期信号を搬送し、基地局についての前記同期信号は第１の識別番号と関連付られており、および
各無線フレーム中の前記リソースエレメントの第２のサブセットは、リファレンスシンボルを搬送し、前記第２のサブセットは、第１の配置および第２の配置を含む複数の離散配置に分割されており、前記第１の配置中の前記リファレンスシンボルは、前記第１の識別番号に従って変化する少なくとも１つのプロパティを有し、
前記方法は：
前記ワイヤレスアクセスインターフェースの前記通信リソースエレメントの少なくともいくらかを受信すること、
前記受信した通信リソースエレメントの少なくともいくらかを処理して、前記受信した通信リソースエレメントに存在する前記リファレンスシンボルの少なくとも１つのプロパティの値を決定すること、および
前記第２の配置における前記リファレンスシンボルの少なくとも１つのプロパティから前記通信パラメータの値を導出すること、を有する、前記方法。
【０１２５】
参考文献
［１］ＥＴＳＩ  ＴＳ  １２２  ３６８  Ｖ１０．５３０（２０１１−０７）／３ＧＰＰ  ＴＳ  ２２．３６８  バージョン  １０.５．０  リリース１０）
［２］英国特許出願１１０１９７０．０
［３］英国特許出願１１０１９８１．７
［４］英国特許出願１１０１９６６．８
［５］英国特許出願１１０１９８３．３
［６］英国特許出願１１０１８５３．８
［７］英国特許出願１１０１９８２．５
［８］英国特許出願１１０１９８０．９
［９］英国特許出願１１０１９７２．６
［１０］英国特許出願１１１３８０１．３
【図１】
0006309023.tif 000002
【図２】
0006309023.tif 000003
【図３】
0006309023.tif 000004
【図４Ａ】
0006309023.tif 000005
【図４Ｂ】
0006309023.tif 000006
【図５】
0006309023.tif 000007
【図６】
0006309023.tif 000008
【図７】
0006309023.tif 000009
【図８】
0006309023.tif 000010
【図９】
0006309023.tif 000011
【図１０】
0006309023.tif 000012
【図１１Ａ】
0006309023.tif 000013
【図１１Ｂ】
0006309023.tif 000014
【図１１Ｃ】
0006309023.tif 000015
【図１１Ｄ】
0006309023.tif 000016
【図１２】
0006309023.tif 000017